(57)【要約】【課題】本発明は多数枚のディスクブラシを健全に一体積層構造にした多重ディスクブラシを提供する。【解決手段】円板１の周縁に多数のブラシ植装孔２を隔設し、該ブラシ植装孔２にブラシ束３を挿入しつつ二つ折りにしてブラシ植装孔２の外縁部に跨がせ、該二つ折りブラシ束３の基部を結束して円板１の周縁部にブラシ材を環状に植装し、該円板１の中央部に回転軸８の軸挿穴９を設け、該軸挿穴９の周縁部に回転軸８とキー結合するキー１０又はキー溝１１を設けてディスクブラシ７を構成し、該ディスクブラシ７の多数枚を同一軸線に重ねて一体積層構造にした多重ディスクブラシ１５において、上記ディスクブラシ７の円板１間に接着パッド１４を介在すると共に、該接着パッド１４を隣接する円板１の表面に夫々接着し各ディスクブラシ７を一体積層構造とした多重ディスクブラシ１５。【選択図】        図６  
2005137600.tif 000002
【特許請求の範囲】
【請求項１】
円板の周縁に多数のブラシ植装孔を隔設し、該ブラシ植装孔にブラシ束を挿入しつつ二つ折りにしてブラシ植装孔の外縁部に跨がせ、該二つ折りブラシ束の基部を結束して円板の周縁部にブラシ材を環状に植装し、該円板の中央部に回転軸の軸挿穴を設け、該軸挿穴の周縁部に回転軸とキー結合するキー又はキー溝を設けてディスクブラシを構成し、該ディスクブラシの多数枚を同一軸線に重ねて一体積層構造にした多重ディスクブラシにおいて、上記ディスクブラシの円板間に接着パッドを介在すると共に、該接着パッドを隣接する円板の表面に夫々接着し各ディスクブラシを一体積層構造としたことを特徴とする多重ディスクブラシ。
【請求項２】
上記接着パッドが不織布又は織布であることを特徴とする請求項１記載の多重ディスクブラシ。
【請求項３】
上記接着パッドは上記円板のキー又はキー溝の回転方向の縁部表面に配したことを特徴とする請求項１又は２記載の多重ディスクブラシ。
【発明の詳細な説明】
【技術分野】
【０００１】
ディスクブラシは円板の周縁に多数のブラシ植装孔を隔設し、各ブラシ植装孔にブラシ束を挿入しつつ二つ折りにしてブラシ植装孔の外縁部に跨がせ、該二つ折りブラシ束の基部を結束し、よって円板の周縁部にブラシ材を環状に植装した構造を有している。
【０００２】
上記円板の中央部には回転軸の軸挿穴を設け、該軸挿穴の周縁部に回転軸とキー結合するキー又はキー溝を設け、多数枚のディスクブラシを上記軸挿穴を以って回転軸に外挿しキー結合すると共に、軸線方向に積層締結してロールブラシを形成している。
【背景技術】
【０００３】
而して特許文献１は上記多数枚のディスクブラシを接着媒体を介し一体積層構造にした多重ディスクブラシを予め用意し、該多重ディスクブラシの複数を上記回転軸に外挿することによって上記ロールブラシを簡便に形成する方法を開示している。
【０００４】
然しながら接着媒体並びに該接着媒体を介しての接着構造に関しては具体構造を一切開示していない。
【０００５】
他方上記特許文献１の出願人は図１に示すように、円板１の周縁部のブラシ植装孔２に植装したブラシ束３の内端部４の表面、即ち結束線材５の内域において円板１の周縁部表面から膨出する同内端部４の表面に接着材６を塗布し、隣接して重なるブラシ束３の内端部４間を該接着材６を介し接着し、よってディスクブラシ７相互間を接着し一体積層構造にした多重ディスクブラシを市場に供している。
【特許文献１】特開平１０−２９１１６５号公報
【発明の開示】
【発明が解決しようとする課題】
【０００６】
然るに上記多重ディスクブラシにおいては、多重ねしたディスクブラシを軸線方向に圧縮しつつ接着するに際し、接着材がブラシ束のブラシ材間に押し込まれつつ硬化するため、従ってブラシ束の内端を接着材にて固めて覆ってしまうため、ロールブラシの回転研掃時にブラシ束の毛先に加わる振動負荷によって、ブラシ材が結束部付近において折損を早める恐れを有し、加えて回転軸側からのブラシ材内部への通気性と通水性、従って冷却効果を低下せしめ、これがブラシ材の熱脆化を助長する原因となる。
【０００７】
又接着材がブラシ束の内端部表面から上記圧縮によってブラシ植装孔の周縁部に流出し、ブラシ束の内端部を円板の表面に固く結合し、ディスクブラシ廃棄時にブラシ束を円板から容易には分解し難い問題を招来する。
【０００８】
上記多重ディスクブラシはディスクブラシ相互間を結合する手段として、円板に植装せるブラシ束相互間（ブラシ束の内端部相互間）をブラシ束内端部の表層部において接着材を介し結合する構造であり、ディスクブラシ全体の強固な結合を得難い問題点を有している。
【課題を解決するための手段】
【０００９】
本発明は上記先行例におけるブラシ束の内端部相互間を接着してディスクブラシ相互間を結合する構造を排しながら、上記ディスクブラシ相互間の結合を健全に遂行できるようにした多重ディスクブラシを提供するものである。
【００１０】
その手段として上記ディスクブラシの円板間に接着パッドを介在すると共に、該接着パッドを隣接する円板の表面に夫々接着し各ディスクブラシを一体積層構造とした多重ディスクブラシを提供するものである。
【００１１】
上記接着パッドの適例としては不織布又は織布を用いる。
【００１２】
又上記接着パッドは上記円板のキー又はキー溝の回転方向の縁部表面に配する。
【発明の効果】
【００１３】
上記多重ディスクブラシの積層構造によれば、円板相互を直接結合して各ディスクブラシ相互の結合を強固にし、多重ディスクブラシの形成目的を有効に達成する。
【００１４】
又従来例における円板の表面から膨出するブラシ束内端部を接着材にて強固に固めて多重ディスクブラシを構成した場合の上記問題点を一掃し、円板からのブラシ束の分解を容易にし、ブラシ材の早期折損等を有効に防止する。
【００１５】
又上記パッドとして不織布又は織布を適用することにより、接着材の含浸を促進し接着強度の向上に寄与する。
【００１６】
又上記接着パッドを円板のキー又はキー溝の回転方向の縁部に配することにより、回転軸と多重ディスクブラシとをキー結合するキーとキー溝のぶつかり衝撃による円板の微振動を有効に防止し、該微振動がブラシ束に伝搬し、ブラシ材の毛先を微振動せしめ、圧延鋼板の如き被研掃材の表面にチャタリングマークを発生する現象を可及的に減殺する。
【発明を実施するための最良の形態】
【００１７】
以下本発明を実施するための最良の形態を図２乃至図９に基づき説明する。
【００１８】
図２，図３に示すように、ディスクブラシ７は円板１の周縁に多数のブラシ植装孔２を隔設し、各ブラシ植装孔２にブラシ束３を挿入しつつ二つ折りにしてブラシ植装孔２の外縁部、即ち円板１のブラシ植装孔外域の周縁部に跨がせ、該二つ折りブラシ束３の基部を上記円板１のブラシ植装孔外域の周縁部において結束線材５を用いて結束し、よって円板１の周縁部にブラシ材を環状に植装した構造を有している。
【００１９】
上記円板１の中央部には回転軸８の軸挿穴９を設け、該軸挿穴９の周縁部を等分割する間隔で回転軸８とキー結合する複数のキー１０又はキー溝１１を設け、多数枚のディスクブラシ７を上記軸挿穴９を以って回転軸８に外挿しキー結合すると共に、軸線方向に積層し締結してロールブラシを形成している。
【００２０】
上記回転軸８にはディスクブラシ７の円板１に設けた上記キー１０が嵌合する複数のキー溝１２、又はディスクブラシ７の円板１に設けた上記キー溝１１に嵌合する複数のキー１３を有し、ディスクブラシ７は回転軸８の軸端から該キー１３とキー溝１１、又はキー１０とキー溝１２を案内として回転軸８に外挿する。
【００２１】
上記ディスクブラシ７の円板１間に接着パッド１４を介在すると共に、該接着パッド１４を隣接する円板１の表面に夫々接着し各ディスクブラシ７を一体積層構造とし多重ディスクブラシ１５を構成する。
【００２２】
適例として図２，図３に示すように、上記円板１の軸挿穴９の縁部に軸挿穴９において開放せるキー溝１１を有する場合には、上記接着パッド１４を上記キー溝１１を包囲するように同溝１１の縁部表面に接着する。
【００２３】
即ちキー溝１１の円板直径方向の縁部表面と、同回転方向の対向する縁部表面に上記接着パッド１４を接着し、少なくとも円板回転方向の対向するキー溝１１の縁部表面に上記接着パッド１４を接着する。
【００２４】
好ましくは、上記接着パッド１４の内側端面とキー溝１１の内側端面を略同一平面に一致させて接着する。少なくとも接着パッド１４の円板回転方向内側端面とキー溝１１の円板回転方向内側端面を略同一平面に一致させて接着する。
【００２５】
若しくは接着パッド１４の円板回転方向の内側端面をキー溝１１の同内側端面より僅かにキー溝１１内へ張り出すように接着する。
【００２６】
上記キー溝１１を包囲するように接着する接着パッド１４は、図８Ａに示すように、凹形を呈するように形成し、対向する二片１６を上記キー溝１１の円板回転方向の対向する縁部表面に接着し、該対向する二片１６を連結する一片１７をキー溝１１の円板直径方向の縁部表面に接着する。
【００２７】
又適例として図４，図５に示すように、上記円板１の軸挿穴９の縁部に軸挿穴９内へ突出するキー１０を有する場合には、上記接着パッド１４を上記キー１０の表面に接着する。即ちキー１０の円板回転方向の対向する縁部間に亘って上記接着パッド１４を接着し、該接着パッド１４の円板回転方向の外側端面とキー１０の円板回転方向の外側端面を略同一平面に一致させて接着する。
【００２８】
若しくは上記接着パッド１４の円板回転方向外側端面をキー１０の外側端面より僅かに張り出すように接着する。
【００２９】
上記キー１０の表面に接着する接着パッド１４は、図８Ｂに示すように、凸形を呈するように形成し、同凸片１８を上記キー１０の表面に接着し、同基片１９をキー１０の円板直径方向の縁部表面に接着する。
【００３０】
上記接着パッド１４は上記配置例の他、円板１の表面であれば、キー１０又はキー溝１１が配置されていない他の表面に周方向に間隔を置いて接着することができ、方形、円形等の接着パッド１４を適用できる。
【００３１】
例えば直径線上において対向するキー１０の表面に凸形の接着パッド１４を接着すると共に、該キー１０を配した直径線と直交する直径線上の円板表面に方形又は円形の接着パッド１４を接着する。
【００３２】
同様に直径線上において対向するキー溝１１の縁部表面に凹形の接着パッド１４を接着すると共に、該キー溝１１を配した直径線と直交する直径線上の円板表面に方形又は円形の接着パッド１４を接着する。
【００３３】
上記接着パッド１４はその一方の表面をディスクブラシ７の円板１の片側表面に接着して取り付け、このディスクブラシ７に他のディスクブラシ７を同一軸線に重ね、該他のディスクブラシ７の片側表面を上記接着パッド１４の他方の表面に接着する。
【００３４】
同様にして多数枚のディスクブラシ７を同一軸線に重ね、換言するとキー１０又はキー溝１１が同一軸線に一致するように重ね、円板１を軸線方向に圧縮して、従って接着パッド１４を軸線方向に圧縮して隣接する円板１間を強固に接着し、よって図６，図７に示すように、ディスクブラシ７相互間を強固に接着し、一体積層構造の多重ディスクブラシ１５を構成する。
【００３５】
上記ディスクブラシ７は接着パッド１４を介して多重ねし軸線方向に圧縮した状態で加熱炉に入れ加熱することにより、上記接着パッド１４の接着材２０の硬化を促進することができる。上記多重ディスクブラシ１５を回転軸８に複数外挿しロールブラシを形成する。
【００３６】
上記接着パッド１４は合成樹脂繊維又は天然繊維から成る不織布又は織布、又は合成樹脂板、又は木版、又は金属板を用いることができ、適例として母材が圧縮弾性を有する不織布又は織布を用いる。
【００３７】
上記接着パッド１４の接着材は適例として、図９に示すように、同パッド１４の対向する表面に接着材２０を塗布して接着材層を形成し、円板１の表面に接着する。
【００３８】
上記接着パッド１４を織布又は不織布で形成し、その両表面に接着材２０を塗布した場合には、該接着材２０は織布又は不織布の表層部に含浸して強固な接着を図ることができると共に、ディスクブラシ７の重ね合わせ体を軸線方向に圧縮して接着を図る場合に、該接着パッド１４が該圧縮に追随して圧縮され適正な接着力を確保でき、又以下に述べる被研掃材にチャタリングマークを発生するのを有効に防止することができる。
【００３９】
図８Ａ，Ｂに示すように、上記円板１のキー１０又はキー溝１１と回転軸８のキー溝１２又はキー１３とは、僅かな遊間隙２１を存して嵌合するようにし、これにより回転軸８への多重ディスクブラシ７の外挿を容易にする設計が通常である。
【００４０】
而して上記遊間隙２１はロールブラシの回転時に多重ディスクブラシ１５の回転方向への微小移動（振動）を招来し、これにより各多重ディスクブラシ１５の金属製円板１のキー溝１１又はキー１０の回転方向側端面が、回転軸８のキー１３又はキー溝１２の対向する端面と繰り返し衝撃的にぶつかり、このぶつかりにより金属製円板１に微振動が発生し、該円板１の微振動が外周縁部に伝搬され、これによりブラシ束３を構成するブラシ材の先端を微振動せしめ、これが被研掃材表面にチャタリングマークを発生する原因となる。
【００４１】
而して本発明においては上記圧縮弾性を有する接着パッド１４を上記円板１のキー１０又はキー溝１１の回転方向の縁部に配し、接着パッド１４の円板回転方向の側端面とキー１０又はキー溝１１の円板回転方向の側端面とを略一致させることにより、上記ぶつかり衝撃を吸収し、上記円板１周縁部への伝搬振動を減殺でき、上記チャタリングマーク発生を可及的に防止できる。
【００４２】
上記多重ディスクブラシ１５の積層構造によれば、各ディスクブラシ７相互の結合を強固にし、多重ディスクブラシ１５の形成目的を有効に達成できる。
【００４３】
又従来例における円板の表面から膨出するブラシ束内端部を接着材にて強固に固めて多重ディスクブラシを構成した場合の問題点を一掃し、円板１からのブラシ束３の分解を容易にし、ブラシ材の早期折損等を有効に防止する。
【図面の簡単な説明】
【００４４】
【図１】従来の多重ディスクブラシを形成するディスクブラシ間の接着材の塗布例を示す断面図。
【図２】本発明の実施形態を示すキー溝を有するディスクブラシに接着パッドを接着した状態を示す平面図。
【図３】Ａは上記図２におけるおけるＡ−Ａ線断面図、Ｂは同Ｂ−Ｂ線断面図。
【図４】本発明の実施形態を示すキーを有するディスクブラシに接着パッドを接着した状態を示す平面図。
【図５】Ａは上記図４におけるおけるＡ−Ａ線断面図、Ｂは同Ｂ−Ｂ線断面図。
【図６】上記図２におけるディスクブラシを用いて構成した多重ディスクブラシの断面図。
【図７】上記図４におけるディスクブラシを用いて構成した多重ディスクブラシの断面図。
【図８】Ａは上記図２に示す接着パッドの一例を示す平面図、Ｂは図４に示す接着パッドの一例を示す平面図。
【図９】上記各接着パッドに接着材の塗布層を形成した断面図。
【符号の説明】
【００４５】
１…円板、２…ブラシ植装孔、３…ブラシ束、５…結束線材、７…ディスクブラシ、８…回転軸、９…軸挿穴、１０…キー、１１…キー溝、１２…キー溝、１３…キー、１４…接着パッド、１５…多重ディスクブラシ、１６…凹形接着パッドの対向する二片、１７…同接着パッドの連結する一片、１８…凸形接着パッドの凸片、１９…同接着パッドの基片、２０…接着材、２１…遊間隙。
【図１】
2005137600.tif 000003
【図２】
2005137600.tif 000004
【図３】
2005137600.tif 000005
【図４】
2005137600.tif 000006
【図５】
2005137600.tif 000007
【図６】
2005137600.tif 000008
【図７】
2005137600.tif 000009
【図８】
2005137600.tif 000010
【図９】
2005137600.tif 000011